(57)【要約】【課題】外径寸法の異なるボトルキャップに対して使用することができるキャップオープナ機能付きボトルキャップ用カバーを提供する。【解決手段】ボトルキャップ用カバー１は、ハンドホルダ２と筒体３とを備えている。筒体３は、ボトルの口に装着されたボトルキャップＣに嵌合されてボトルキャップＣと係合するキャップ係合用凹部を有する。ハンドホルダ２は、筒体３をボトルキャップＣと一緒に回転させる際に使用者が手で握ることができる形状を有している。筒体３の筒状部３ｂの外周面と側壁２ｂとの間の間隔ｇの最小寸法及び筒体３の材質を、外径寸法の異なる複数種類のボトルキャップにキャップ係合用凹部が嵌合し得るように定める。【選択図】  図３
2004217282.tif 000002
【特許請求の範囲】
【請求項１】
ボトルの口に装着されたボトルキャップに嵌合されて前記ボトルキャップと係合するキャップ係合用凹部を有する筒体と、前記筒体を前記ボトルキャップと一緒に回転させる際に使用者が手で握るハンドホルダとを備え、
前記ハンドホルダが、中央部に前記筒体が配置されたトッププレートと、前記トッププレートと一体に設けられ且つ前記筒体の外周面との間に間隔を開けて前記筒体の周囲を囲む側壁とを有しているキャップオープナ機能付きボトルキャップ用カバーであって、
前記筒体の前記外周面と前記側壁との間の前記間隔の最小寸法及び前記筒体の材料は、外径寸法の異なる複数種類の前記ボトルキャップに前記キャップ係合用凹部が嵌合し得るように定められていることを特徴とするキャップオープナ機能付きボトルキャップ用カバー。
【請求項２】
前記ハンドホルダ及び前記筒体は、それぞれ異なる合成樹脂材料により形成されており、
前記ハンドホルダを形成する合成樹脂材料は前記筒体を形成する合成樹脂材料よりも、硬度が大きいことを特徴とする請求項１に記載のキャップオープナ機能付きボトルキャップ用カバー。
【請求項３】
前記筒体を形成する合成樹脂材料はアセチル・トリブチル・シトレイト−ポリビニル・クロライドを主成分とする合成樹脂材料であり、前記ハンドホルダを形成する合成樹脂材料はアクリルニトリル・ブタジエン・スチレンを主成分とする合成樹脂材料であることを特徴とする請求項２に記載のキャップオープナ機能付きボトルキャップ用カバー。
【請求項４】
前記トッププレートの輪郭形状が、楕円形及び長方形を含む細長い形状であることを特徴とする請求項１に記載のキャップオープナ機能付きボトルキャップ用カバー。
【請求項５】
前記側壁は、前記トッププレートの長手方向と直交する幅方向に位置して前記筒体と前記最小寸法を介して対向する一対の対向壁部を有しており、
前記一対の対向壁部に対して外側から前記筒体に向かう所定以上の力が加わると、前記一対の対向壁部と前記筒体の外周面とが接触するように、前記最小寸法が定められていることを特徴とする請求項５に記載のキャップオープナ機能付きボトルキャップ用カバー。
【請求項６】
前記筒体は円筒状の筒状部及び前記筒状部と一体に設けられて前記トッププレートに固定されるフランジ部とから構成され、
前記フランジ部の形状は前記側壁と係合して前記トッププレートに対する前記筒体の位置を決めることができるように定められていることを特徴とする請求項１，２，３，４または５に記載のキャップオープナ機能付きボトルキャップ用カバー。
【請求項７】
前記筒状部の内周部には前記トッププレートと直交する方向に延びる複数本の凹部または凸部が周方向に所定の間隔を開けて形成されており、
前記筒状部の内周部の非フランジ部側の端部から前記フランジ部側に所定寸法離れた位置よりフランジ部側の端部までの間の領域に、前記複数本の凹部または凸部が形成されていることを特徴とする請求項１に記載のキャップオープナ機能付きボトルキャップ用カバー。
【請求項８】
前記トッププレート上には、フィギュアが取り付けられていることを特徴とする請求項１に記載のキャップオープナ機能付きボトルキャップ用カバー。
【請求項９】
前記筒状部の非固定側の端部の端面と前記側壁の非トッププレート側の端部の端面とがほぼ面一になっていることを特徴とする請求項１に記載のキャップオープナ機能付きボトルキャップ用カバー。
【請求項１０】
ボトルの口に装着されたボトルキャップに嵌合されて前記ボトルキャップと係合するキャップ係合用凹部を有する筒体と、前記筒体を前記ボトルキャップと一緒に回転させる際に使用者が手で握るハンドホルダとを備え、
前記ハンドホルダが、中央部に前記筒体が配置されたトッププレートと、前記トッププレートと一体に設けられ且つ前記筒体の外周面との間に間隔を開けて前記筒体の周囲を囲む側壁とを有しているキャップオープナであって、
前記筒体の前記外周面と前記側壁との間の前記間隔の最小寸法及び前記筒体の材料は、外径寸法の異なる複数種類の前記ボトルキャップに前記キャップ係合用凹部が嵌合し得るように定められていることを特徴とするキャップオープナ。
【請求項１１】
前記ハンドホルダ及び前記筒体は、それぞれ異なる合成樹脂材料により形成されており、
前記ハンドホルダを形成する合成樹脂材料は前記筒体を形成する合成樹脂材料よりも、硬度が大きいことを特徴とする請求項１０に記載のキャップオープナ。
【請求項１２】
前記筒体を形成する合成樹脂材料はアセチル・トリブチル・シトレイト−ポリビニル・クロライドを主成分とする合成樹脂材料であり、前記ハンドホルダを形成する合成樹脂材料はアクリルニトリル・ブタジエン・スチレンを主成分とする合成樹脂材料であることを特徴とする請求項１１に記載のキャップオープナ。
【請求項１３】
前記トッププレートの輪郭形状が、楕円形及び長方形を含む細長い形状であることを特徴とする請求項１０に記載のキャップオープナ。
【請求項１４】
前記側壁は、前記トッププレートの長手方向と直交する幅方向に位置して前記筒体と前記最小寸法を介して対向する一対の対向壁部を有しており、
前記一対の対向壁部に対して外側から前記筒体に向かう所定以上の力が加わると、前記一対の対向壁部と前記筒体の外周面とが接触するように、前記最小寸法が定められていることを特徴とする請求項１０に記載のキャップオープナ。
【発明の詳細な説明】
【０００１】
【発明の属する技術分野】
本発明は、ペットボトル等のボトルキャップを開けるために用いるキャップオープナ機能を有するキャップオープナ機能付きボトルキャップ用カバー及びキャップオープナに関するものである。
【０００２】
【従来の技術】
最近、ペットボトルのキャップに被せるボトルキャップ用カバーが飲料の販売促進商品として頒布されていたり、ペットボットルの装飾商品として販売されている。ボトルキャップにボトルキャップ用カバーがきつく嵌合されていれば、このボトルキャップ用カバーはキャップオープナとしても利用することが可能である。
【０００３】
またボトルキャップオープナについては、各種の構造が提案されている。例えば、特開２００２−８７４９５には、ペットボトルのキャップを開けた後に、飲用カップとして用いることができるキャップオープナの一例が開示されている。このキャップオープナは、ボトルの口に装着されたボトルキャップに嵌合されてボトルキャップと係合するキャップ係合用凹部を有する筒状部とハンドホルダとが一体に形成されている。ハンドホルダは、筒状部をボトルキャップと一緒に回転させる際に使用者が手で握ることができる有底の円筒形状を備えている。そして筒状部はハンドホルダの底部に一体成形されている。筒状部と底部との間には、筒状部の変形を防止するために筒状部の周方向に間隔をあけて三角形状の隔壁部が一体に設けられている。
【０００４】
【発明が解決しようとする課題】
従来のボトルキャップ用カバーも従来のキャップオープナも、同じ外径寸法のボトルキャップにしか使用することができない。そのため外径寸法の異なるボトルキャップ毎に、ボトルキャップ用カバー及びキャップオープナを用意しなければならない問題がある。また従来のボトルキャップ用カバーをキャップオープナとして利用しようとしても、ボトルキャップの外形寸法の異なるものを開けることはできないし、その形状によってはボトルキャップを直接開栓する場合と比べて必ずしも楽にキャップを開けることができない場合があった。また特開２００２−８７４９５に示されたキャップオープナのように飲用カップとして用いられるオープナでは、カップの深い底にキャップ係合用凹部が形成されることになるため、ボトルキャップにキャップ係合用凹部を係合させ難い問題があった。
【０００５】
本発明の目的は、外径寸法の異なるボトルキャップに対して使用することができるキャップオープナ機能付きのボトルキャップ用カバー及びキャップオープナを提供することにある。
【０００６】
本発明の他の目的は、外径寸法の異なるボトルキャップを開けることができて、しかもハンドホルダが必要以上に変形することがないキャップオープナ機能付きのボトルキャップ用カバー及びキャップオープナを提供することにある。
【０００７】
本発明の他の目的は、子供や手の小さい人でも楽にキャップを開栓することができるキャップオープナ機能付きのボトルキャップ用カバー及びキャップオープナを提供することにある。
【０００８】
本発明の他の目的は、予定している外径寸法よりも外径寸法の小さいボトルキャップでも開けることが可能なキャップオープナ機能付きのボトルキャップ用カバー及びキャップオープナを提供することにある。
【０００９】
本発明の他の目的は、筒体とハンドホルダとの材質を変えた場合においても製造が容易なキャップオープナ機能付きのボトルキャップ用カバー及びキャップオープナを提供することにある。
【００１０】
本発明の更に別の目的は、ボトルキャップへの装着が容易なキャップオープナ機能付きのボトルキャップ用カバー及びキャップオープナを提供することにある。
【００１１】
【課題を解決するための手段】
本発明のキャップオープナ機能付きボトルキャップ用カバー及びキャップオープナは、ボトルの口に装着されたボトルキャップに嵌合されてボトルキャップと係合するキャップ係合用凹部を有する筒体と、この筒体をボトルキャップと一緒に回転させる際に使用者が手で握るハンドホルダとを備えている。筒体の内周部には、通常、ボトルキャップの外周面との係合を確実なものとするための（または筒体の内周面とボトルキャップの外周面との間に滑りを無くすための）凹凸や溝等の滑り止め部が形成されている。ハンドホルダは、中央部に筒体が配置されたトッププレートと、トッププレートと一体に設けられ且つ筒体の外周面との間に間隔を開けて筒体の周囲を囲む側壁とを有している。この側壁は、筒体の周囲を完全に囲んでいてもよいが、一部を囲んでいてもよい。
【００１２】
本発明においては、筒体の外周面と側壁との間の間隔の最小寸法及び筒体の材質を、外径寸法の異なる複数種類のボトルキャップにキャップ係合用凹部が嵌合し得るように定める。このようにすると例えば、外径寸法が一番小さいボトルキャップを開けることができるように筒体の内径寸法を定めた場合において、この外径寸法が一番小さいボトルキャップよりも外径寸法の大きなボトルキャップをキャップ係合用凹部に挿入すると、筒体の筒状部が拡径し、その挿入が可能になる。筒体の筒状部の拡径は、筒体の外周面がハンドホルダの側壁と当たることにより制限される。したがって筒体の外周面と側壁との間の間隔の最小寸法は、対象とするボトルキャップの外径寸法と筒体が破損しない範囲の両方を考慮して定めればよい。本発明のキャップオープナ機能を備えたボトルキャップ用カバー及キャップオープナによれば、外径寸法の異なるボトルキャップに対して使用が可能である。
【００１３】
なお筒体の材料としては、ゴムや合成樹脂等の可撓性を有する材料を用いるのが好ましい。例えば、ハンドホルダ及び筒体を合成樹脂材料により形成する場合には、外径寸法の異なるボトルキャップを開けることができるようにして、しかも全体の機械的強度をある程度高い状態に維持することを可能にするためには、両者をそれぞれ異なる合成樹脂材料により形成するのが好ましい。具体的には、ハンドホルダを形成する合成樹脂材料は筒体を形成する合成樹脂材料よりも、硬化後の硬度が大きいものを用いるのが好ましい。このようにすれば、筒体の拡径を可能にしても、ハンドホルダが必要以上に変形することがない。
【００１４】
例えば、筒体を形成する合成樹脂材料としては、アセチル・トリブチル・シトレイト−ポリビニル・クロライドを主成分とする合成樹脂材料を選択するのが好ましい。またハンドホルダを形成する合成樹脂材料としては、アクリルニトリル・ブタジエン・スチレンを主成分とする合成樹脂材料を選択するのが好ましい。これらの合成樹脂材料を選択すると、安価にキャップオープナを製造できるだけでなく、キャップオープナの耐久性を高めることができる。
【００１５】
ハンドホルダの形状は任意であるが、子供や手の小さい人が利用できるようにするためには、トッププレートの輪郭形状を、楕円形及び長方形を含む細長い形状にするのが好ましい。このようにすると小さな手でもハンドホルダを握れる上、比較的小さい力で大きな回転モーメントをかけることができるので、従来よりも楽にキャップを開栓することが可能になる。
【００１６】
なお側壁は、トッププレートの長手方向と直交する幅方向に位置して筒体と前記最小寸法の間隔を介して対向する一対の対向壁部を有している構造にするのが好ましい。そしてこのようにした場合、一対の対向壁部に対して外側から筒体に向かう所定以上の力が加わると、一対の対向壁部と筒体の外周面とが接触するように、最小寸法を定める。このようすると、仮に予定している最小径寸法のボトルキャップよりも外径寸法が小さいボトルキャップがキャップ係合用凹部に嵌合された場合でも、一対の対向壁部に対して筒体に近付ける力を加えて、一対の対向壁部を変形させることにより筒体をボトルキャップに押しつけることができるので、開栓が可能になる。
【００１７】
なお筒体は、円筒状の筒状部及びこの筒状部と一体に設けられてトッププレートに固定されるフランジ部とから構成することができる。フランジ部を設ければ接触面積を広くすることができるので、筒体のトッププレートに対する接合強度または取付強度を高めることができる。またフランジ部の形状は、側壁と係合してトッププレートに対する筒体の位置を決めることができるように定めるのが好ましい。このようにすると、筒体のフランジ部をハンドホルダに対して嵌める動作を行うだけで、筒体のトッププレートに対する位置決めを完了することができ、製造が容易になる。
【００１８】
トッププレート上には、人間、動物、乗り物等の様々な形状のフィギュアを取り付けてもよい。フィギュアを取り付けた場合には、装飾品として機能を発揮するだけでなく、開栓の前後においてボトルキャップにハンドホルダを嵌めておくことにより、目印機能を発揮する。
【００１９】
フィギュアの取付は、完全な固定及び着脱可能な取付のいずれでもよい。フィギュアを取り付けると、キャップオープナの重量バランスが悪くなるので、ハンドホルダがフィギュアの転倒を防止する転倒防止手段を構成できるようにその形状寸法及び重量を定めるのが好ましい。
【００２０】
またこの場合、筒状部の非フランジ部側の端部の端面と側壁の非トッププレート側の端部の端面とがほぼ面一になるように筒状部の寸法を定めるのが好ましい。このような寸法設定をすると、ハンドホルダの存在がボトルキャップに筒部を嵌合させる際の障害になることがないので、ボトルキャップにスムーズにカバーを装着させることができる。また仮にフィギュアをトッププレートに向かって押しつける大きな力がフィギュアを介してトッププレートに伝わったとしても筒状部がストッパとなってトッププレートの変形を阻止することができるので、ハンドホルダが破損することを防止できる。
【００２１】
なお筒状部の内周部にトッププレートと直交する方向に延びる複数本の凹部または凸部（または溝部）が周方向に所定の間隔を開けて形成され、前述の滑り止め部または係合部を形成する場合には、筒状部の内周部の非フランジ部側の端部には、複数本の凹部または凸部（または溝部）を形成しないようにする。このようにすると外径寸法の大きなボトルキャップを嵌めた場合でも凹部または溝の存在が原因になって筒状部が裂けるのを防止することができる。
【００２２】
【発明の実施の形態】
以下図面を参照して本発明のキャップオープナ機能付きボトルキャップ用カバーの実施の形態を詳細に説明する。図１（Ａ）乃至（Ｄ）は、フィギュアを破線で示した本発明のボトルキャップ用カバーの一実施の形態の正面図、右側面図、平面図及び底面図である。また図２は図１（Ｄ）のＩＩ−ＩＩ線断面図であり、図３はペットボトルのキャップにボトルキャップ用カバーを嵌めた状態を示す拡大断面図である。
【００２３】
これらの図において、本発明のボトルキャップ用カバー１は、ハンドホルダ２と、筒体３と、破線で示したフィギュア４とから構成されている。ハンドホルダ２及び筒体３は、それぞれ合成樹脂材料によって一体に成形されている。具体的には、ハンドホルダ２はアクリルニトリル・ブタジエン・スチレン（ＡＢＳ）を主成分とする合成樹脂材料により形成されている。また筒体３は、アセチル・トリブチル・シトレイト−ポリビニル・クロライド（ＡＴＢＣ−ＰＶＣ）を主成分とする合成樹脂材料により形成されている。
【００２４】
ハンドホルダ２は、中央部に筒体３が固定されたトッププレート２ａと、このトッププレート２ａと一体に設けられ且つ筒体３の筒状部３ｂの外周面との間に間隔を開けて筒体３の周囲を囲む側壁２ｂとを有している。トッププレート２ａの輪郭形状は、長軸と短軸との比が約３：１になる楕円形状を有している。また側壁２ｂは、トッププレート２ａの周縁部から下方に向かって広がるように連続して延びており、その形状はスカート形状または切頭楕円錐形状を呈している。図１（Ｄ）に示されるように側壁２ｂの非トッププレート側の端部の端面２ｃの輪郭形状は、トッププレート２ａの輪郭形状の相似形状になっている。
【００２５】
なお側壁２ｂは、トッププレート２ａの長手方向と直交する幅方向に位置して筒体３の筒状部３ｂとの間に最小寸法の間隔ｇ，ｇを介して対向する一対の対向壁部２ｄ，２ｄを有している。このようにした場合、一対の対向壁部２ｄ，２ｄに対して外側から筒体３の筒状部３ｂに向かう所定以上の力が加わると、一対の対向壁部２ｄ，２ｄと筒体３の筒状部３ｂの外周面とが接触するように、間隔ｇの最小寸法を定めてある。このようすると、仮に予定している最小径寸法のボトルキャップよりも外径寸法が小さいボトルキャップがキャップ係合用凹部３ａに嵌合された場合でも、一対の対向壁部２ｄ，２ｄに対して筒体３に近付ける力を加えて、一対の対向壁部２ｄ，２ｄを変形させることにより筒体３の筒状部３ｂをボトルキャップに押しつけることができる。
【００２６】
筒体３は、図３に示されるように、ボトルＢの口に装着されたボトルキャップＣに嵌合されてボトルキャップと係合するキャップ係合用凹部３ａを有する筒状部３ｂと、この筒状部３ｂの一端に設けられた板状のフランジ部３ｃとを備えている。筒体３の筒状部３ｂの内周部には、通常、ボトルキャップＣの外周面との係合を確実なものとするための（または筒体３の筒状部３ｂの内周面とボトルキャップＣの外周面との間に滑りを無くすための）複数の凹部５と複数の凸部６とが周方向に交互に並ぶように形成されている。複数の凹部５と複数の凸部６は、トッププレート２ａと直交する方向にそれぞれ延びている。しかし複数の凹部５と複数の凸部６は、筒状部３ｂの非フランジ部側の端部の端面３ｄまでは延びておらず、端面３ｄに到る直前で終端している。言い換えると、筒状部３ｂの内周部の非フランジ部側の端部からフランジ部側に所定寸法離れた位置よりフランジ部側の端部までの間の領域に、複数本の凹部５または凸部６が形成されている。
【００２７】
このようにすると筒状部３ｂに外径寸法の大きなボトルキャップを嵌めた場合でも凹部または溝の存在が原因になって筒状部が裂けるのを防止することができる。これら複数の凹部５と複数の凸部６とにより、滑り止め部または係合部が構成されることになる。この係合部は、通常ボトルキャップの外周部に形成されている同様の被係合部とが係合する。
【００２８】
また図１（Ｄ）に示すように、フランジ部３ｃの形状は、側壁２ｂの一対の対向壁部２ｄ，２ｄの内壁面と係合してトッププレート２ａに対する筒体３の位置を決めることができるように定められている。このようにすると、筒体３のフランジ部３ｃをハンドホルダ２に対して嵌める動作を行うだけで、筒体３のトッププレート２ａに対する位置決めが完了する。
【００２９】
本実施の形態においては、筒体３の筒状部３ｂの外周面と側壁２ｂの一対の対抗壁部２ｄ，２ｄとの間の間隔ｇの最小寸法及び筒体３の材質を、外径寸法の異なる複数種類のボトルキャップＣにキャップ係合用凹部３ａが嵌合し得るように定めている。このようにすると例えば、外径寸法が一番小さいボトルキャップＣを開けることができるように筒体３の筒状部３ｂの内径寸法すなわちキャップ係合用凹部３ａの内径寸法を定めた場合において、この外径寸法が一番小さいボトルキャップよりも外径寸法の大きなボトルキャップをキャップ係合用凹部３ａに挿入すると、筒体３の筒状部３ｂが拡径し、その挿入が可能になる。筒体３の筒状部３ｂの拡径は、筒状部３ｂの外周面がハンドホルダ２の側壁２ｂと当たることにより制限される。
【００３０】
なおフランジ部３ｃのトッププレート２ａ裏面への接合は、超音波溶着等の公知の接合技術を用いて行えばよい。フランジ部を設ければ接合面積を広くすることができるので、筒体３のトッププレート２ａに対する接合強度を高めることができる。またトッププレート２ａの裏面に複数の突起を設け、フランジ部３ｃにこれら複数の突起が嵌合される貫通孔を形成し、貫通孔から突出した複数の突起の先端部を溶融させてフランジ部３ｃをトッププレート２ａに固定するようにしてもよいのは勿論である。
【００３１】
本実施の形態では、トッププレート２ａ上にロボットのフィギュア４を取り付けている。このフィギュア４は、合成樹脂材料により一体に成形されており、トッププレート２ａ上に接着剤等の適宜の接合手段を用いて接合されている。このようなフィギュア４を取り付けたボトルキャップ用カバー１であれば、開栓後でもそのままボトルキャップＣにハンドホルダ２を嵌めておくことにより、ボトルキャップ用カバー１を目印機能または装飾機能を発揮するボトルキャップ用カバーとして利用することができる。なおフィギュアの取付は、本実施の形態のように完全な固定でもよいが、フィギュアを着脱可能にトッププレート２ａに取り付けるようにしてもよい。
【００３２】
しかしフィギュア４を取り付けると、フィギュア４の形状によっては、ボトルキャップ用カバー１の重量バランスが極端に悪くなる場合もある。そのためフィギュアを立てた状態で所定位置に置いておくことができない事態も発生する。そこでハンドホルダ２の寸法及び重量は、フィギュア４の転倒を防止する転倒防止手段を構成できるように定めておくのが好ましい。
【００３３】
また本実施の形態では、筒状部３ｂの非フランジ部側の端部の端面３ｄと側壁２ｂの非トッププレート側の端部の端面２ｃとがほぼ面一になるように筒状部３ｂの長さ寸法が定めてある。したがって、仮にフィギュア４をトッププレート２ａに向かって押しつける大きな力が意図的にフィギュア４を介してトッププレート２ａに加えられたとしても、筒状部３ｂの端面３ｄが机等の載置面に対する設置面ストッパとなってトッププレートの変形を阻止することができるので、ハンドホルダが破損することを防止できる。
【００３４】
上記実施の形態では、トッププレート２ａの輪郭形状は楕円形状であるが、トッププレート２ａの形状は任意である。
【００３５】
【発明の効果】
本発明のキャップオープナ機能付きボトルキャップ用カバー及びキャップオープナによれば、外径寸法の異なるボトルキャップに対しても使用できる利点が得られる。
【図面の簡単な説明】
【図１】（Ａ）乃至（Ｄ）は、フィギュアを破線で示した本発明のキャップオープナ機能付きボトルキャップ用カバーの一実施の形態の正面図、右側面図、平面図及び底面図である。
【図２】図１（Ｄ）のＩＩ−ＩＩ線断面図である。
【図３】ペットボトルのキャップにキャップオープナ機能付きボトルキャップ用カバーを嵌めた状態を示す拡大断面図である。
【符号の説明】
１  キャップオープナ機能付きボトルキャップ用カバー
２  ハンドホルダ
２ａ  トッププレート
２ｂ  側壁
２ｃ  端面
３  筒体
３ａ  キャップ係合用凹部
３ｂ  筒状部
３ｃ  フランジ部
３ｄ  端面
４  フィギュア
５  凹部
６  凸部
【図１】
2004217282.tif 000003
【図２】
2004217282.tif 000004
【図３】
2004217282.tif 000005